(57)【特許請求の範囲】
【請求項１】
水の制御装置を内蔵したハウジングと、
このハウジングの開口部に取り付けられる水栓カバーと、
前記ハウジングに固定され、前記水栓カバーを前記ハウジングに押し付けて固定する固定金具と、
前記水栓カバーと前記固定金具との間に配置され、圧縮変形可能なゴム部材とを具備し、
前記ゴム部材と前記水栓カバーとの間には、擦れ防止金具が配置され、
前記ゴム部材は、加硫によって前記固定金具および前記擦れ防止金具に一体結合して設けられたことを特徴とする水栓の凍結破損防止装置。
【発明の詳細な説明】
【０００１】
【発明の属する技術分野】
本発明は、給湯器等に内蔵されている水栓の凍結破損防止装置に関するものである。
【０００２】
【従来の技術】
この種の技術として、実用新案登録第２５２３７４７号公報、特開平１０−２８１３２０号公報に開示された技術が知られている。これらの技術は、水栓のハウジングに水栓カバーを押し付ける固定金具を変形可能に設け、内部の水が凍結して体積膨張すると、固定金具が変形して体積膨張を吸収することで凍結破損を防ぐものであり、凍結が溶けると固定金具が元の形状に復元するというものである。
【０００３】
【発明が解決しようとする課題】
しかし、固定金具が凍結によって変形すると、永久歪みによる塑性変形が発生するため、凍結が溶けた場合、固定金具は元の形状には復元しない。このため、凍結と解凍を繰り返すと、繰り返す毎に塑性変形が大きくなり、水栓内部の水容積が増量し、最終的に水栓が性能不良を起こす可能性がある。
【０００４】
【発明の目的】
本発明は、上記の事情に鑑みてなされたもので、その目的は、凍結と解凍を繰り返しても、性能不良を起こすことのない信頼性の高い水栓の凍結破損防止装置の提供にある。
【０００５】
【課題を解決するための手段】
この発明は、上記の目的を達成するために次の手段を採用する。
〔請求項１の手段〕
水栓の凍結破損防止装置は、
水の制御装置を内蔵したハウジングと、
このハウジングの開口部に取り付けられる水栓カバーと、
前記ハウジングに固定され、前記水栓カバーを前記ハウジングに押し付けて固定する固定金具と、
前記水栓カバーと前記固定金具との間に配置され、圧縮変形可能なゴム部材とを具備し、
前記ゴム部材と前記水栓カバーとの間には、擦れ防止金具が配置され、
前記ゴム部材は、加硫によって前記固定金具および前記擦れ防止金具に一体結合して設けられたことを特徴とする。
【０００９】
【作用および発明の効果】
〔請求項１の作用および効果〕
水が凍結して体積が膨張すると、凍結による膨張によって水栓カバーが外側、つまり固定金具側へ押し出される。すると、水栓カバーと固定金具との間に配置されたゴム部材が圧縮変形して、凍結の膨張を吸収する。
凍結が溶けて収縮すると、ゴム部材の復元力によって水栓カバーを元の位置に復元する。
このように、凍結と解凍を繰り返しても、ゴム部材の圧縮と復元によって水栓内の水の凍結の膨張を吸収するため、固定金具にかかる負荷が抑えられ、固定金具の塑性変形を防ぐことができる。このため、凍結の繰り返しによって水栓内部の水容積が増える不具合がなく、長期に亘って水栓が性能不良を起こす不具合がない。
【００１０】
ゴム部材を固定金具に加硫により一体結合して設けたため、固定金具に対するゴム部材の組付け精度を容易に高めることができる。
【００１１】
ゴム部材と水栓カバーとの間に擦れ防止金具を配置し、ゴム部材の圧縮および復元時の形状変化によるゴム部材と水栓カバーの擦れを防止してゴム部材の摩擦熱が抑えられる。  このため、ゴム部材の疲労耐久性が向上し、長期に亘ってゴム部材の初期性能を維持できる。
【００１２】
ゴム部材を擦れ防止金具に加硫により一体結合して設けたため、ゴム部材に対する擦れ防止金具の組付け精度を容易に高めることができる。
【００１３】
【発明の実施の形態】
本発明の実施の形態を、第１実施例および変形例を用いて説明する。
〔第１実施例〕
図１、図２は第１実施例を示すものであり、図１はガス給湯器に搭載される水栓の要部断面図である。
【００１４】
水栓１は、樹脂あるいは黄銅等からなるハウジング２と、このハウジング２の開口部２ａ内に配置され、ハウジング２とともに開口部２ａの内側に水室Ａを形成する樹脂製の水栓カバー３とを備える。ハウジング２と水栓カバー３との間には、ハウジング２の内部に配置された止水弁座４の開閉を行うためのダイヤフラム５が挟持されている。
水栓カバー３の中心には、スピンドル６がシールリング７を介して摺動自在にガイドされており、スピンドル６の先端には、ダイヤフラム５の開閉操作に必要な力を低減するためのパイロット弁８が取り付けられている。このパイロット弁８は、バネ９によって閉弁方向に付勢されている。
【００１５】
水栓１は、筒状を呈した開口部２ａ内に配置された水栓カバー３を、後述するゴム部材１３を介してハウジング２に押し付けて固定するための固定金具１０を備える。この固定金具１０は、図２（ａ）に示すように、板金を打ち抜き加工したものであり、中央には水栓カバー３の中央部を外部に突出させるための中央孔１０ａが形成され、周囲には固定金具１０をハウジング２に固定するビス１１を挿通するためのビス孔１０ｂが形成されている。
【００１６】
水栓カバー３の周囲の環状溝には、シール用のＯリング１２が装着されており、水栓カバー３がハウジング２の開口内で摺動しても、水漏れが発生しないように設けられている。
【００１７】
ここで、水栓カバー３と固定金具１０との間には、圧縮変形可能なリング状のゴム部材１３（シリコンゴム、ブチルゴム等）が配置されている。
また、ゴム部材１３と水栓カバー３との間には、リング状の擦れ防止金具１４が配置されている。この擦れ防止金具１４は、ゴム部材１３の圧縮および復元時の形状変化によるゴム部材１３と水栓カバー３の擦れを防止してゴム部材１３の摩擦熱を抑えるものである。
【００１８】
このゴム部材１３は、図２（ｂ）に示すように、加硫によって固定金具１０および擦れ防止金具１４に一体結合して設けられたもので、組付け時の精度が高まるように設けられている。
ゴム部材１３は、水栓カバー３と固定金具１０との間に圧縮（押圧力は１７．５ｋｇｆ／ｃｍ2 以上に設定）して配置されるものであり、ゴム部材１３による水栓カバー３の押圧力は、ハウジング２や水栓カバー３の形状を変更しなくても、ゴム部材１３の材質、幅、厚み等を変更することで容易に調節することができる。
【００１９】
通常使用時、水栓カバー３は、固定金具１０に圧縮されるゴム部材１３によりハウジング２側に押圧されて固定されている。
ここで、気温の低下により、水栓１内の水が凍結してくると、体積膨張により水室Ａ内の内圧が上昇する。この内圧がゴム部材１３の押圧力よりも大きくなると、図１（ｂ）に示すように、ゴム部材１３が通常使用状態から圧縮変形し、水栓カバー３が大気側に押されて摺動する。
気温が上昇して水室Ａ内の氷が溶けると、凍結による膨張がなくなるため、水室Ａ内の内圧が戻り、図１（ａ）に示すように、ゴム部材１３が通常使用状態に戻る。つまり、水栓カバー３は、通常使用時の位置に再び固定される。
【００２０】
上述したように、水抜きを忘れて水栓１内が凍結しても、ゴム部材１３が圧縮変形して凍結による膨張を吸収するとともに、凍結が溶けて収縮すると、ゴム部材１３の復元力によって水栓カバー３を元の位置に復元する。このため、固定金具１０にかかる負荷が抑えられ、固定金具１０の塑性変形を防ぐことができる。この結果、凍結と解凍を繰り返しても、従来技術のように水栓１内部の水容積が増える不具合がなく、長期に亘って凍結破損を生じない。
【００２１】
また、ゴム部材１３と水栓カバー３との間に擦れ防止金具１４を配置し、ゴム部材１３の圧縮および復元時の形状変化によるゴム部材１３と水栓カバー３の擦れを防止するため、ゴム部材１３の摩擦熱が抑えられる。このため、ゴム部材１３の疲労耐久性が向上し、長期に亘ってゴム部材１３の初期性能を維持できる。さらに、ゴム部材１３を固定金具１０および擦れ防止金具１４に加硫により一体結合して設けたため、組付け性の精度が向上するとともに、組付け性が増し、製造コストを抑えることができる。
【００２３】
〔変形例〕
上記の実施例では、ゴム部材１３をリング状に設けた例を示したが、ポイント的に配置しても良い。つまり、例えば、固定金具１０に１つあるいは複数のゴム部材１３をポイント的に固着しても良い。
【図面の簡単な説明】
【図１】  水栓の要部断面図である（第１実施例）。
【図２】  固定金具を示す図である（第１実施例）。
【符号の説明】
１    水栓
２    ハウジング
２ａ  開口部
３    水栓カバー
１０    固定金具
１３    ゴム部材
１４    擦れ防止金具
【図１】
0003807908.tif 000002
【図２】
0003807908.tif 000003